(57)【要約】【課題】緊急性の高い災害情報を、確実、且つ速やかに受信することが可能な災害情報通知方法を提供する。【解決手段】複数のユーザーの少なくともいずれかに携帯される第１の携帯情報端末（スマートフォン１０）が、災害情報を受信し、当該災害情報を受信した第１の携帯情報端末が、携帯端末機器（リスト機器１００）に、Ｂｌｕｅｔｏｏｔｈ（登録商標）  Ｌｏｗ  Ｅｎｅｒｇｙ規格によるブロードキャスト通信を行う。【選択図】図１
2018081608.tif 000002
【特許請求の範囲】
【請求項１】
第１の携帯情報端末が、災害情報を受信し、
前記第１の携帯情報端末が、受信した前記災害情報を携帯端末機器に、Ｂｌｕｅｔｏｏｔｈ（登録商標）  Ｌｏｗ  Ｅｎｅｒｇｙ規格によるブロードキャスト通信する、
災害情報通知方法。
【請求項２】
請求項１において、
前記第１の携帯情報端末は、前記携帯端末機器が前記災害情報を受信するまで前記ブロードキャスト通信する、
災害情報通知方法。
【請求項３】
請求項１または請求項２において、
前記第１の携帯情報端末は、前記ブロードキャスト通信を間欠に行う、
災害情報通知方法。
【請求項４】
請求項１ないし請求項３のいずれか一項において、
前記携帯端末機器は、リスト機器、携帯情報端末、携帯電話、およびタブレットの少なくとも何れかである、
災害情報通知方法。
【請求項５】
請求項１ないし請求項４のいずれか一項において、
前記携帯端末機器は、
生体情報センサーの出力データ、およびモーションセンサーの出力データに基づいて、ユーザーの状態に係るユーザー情報をモニタリングし、
前記災害情報を受信した後、前記モニタリングされた前記ユーザー情報を、前記第１の携帯情報端末に送信する、
災害情報通知方法。
【請求項６】
請求項１ないし請求項５のいずれか一項において、
前記第１の携帯情報端末は、
算出された前記ユーザーの位置情報、または、予め設定した地域情報に基づいて、前記ユーザーが前記災害情報に係る災害発生エリアに関係する場所にいるか否かを特定し、
前記ユーザーが、前記関係する場所にいると特定した場合、前記災害情報を送信する、
災害情報通知方法。
【請求項７】
請求項１ないし請求項６のいずれか一項において、
前記携帯端末機器は、前記災害情報を受信したことを、音、振動、および画面表示の少なくともいずれかで通知する、
災害情報通知方法。
【請求項８】
請求項７において、
前記災害情報を受信した前記携帯端末機器の表示部をスクロールする、またはページ送りをすることにより、前記災害情報に係る複数の情報が順に表示される、
災害情報通知方法。
【請求項９】
第１の携帯情報端末が、第２の携帯情報端末に災害情報を送信し、
前記第２の携帯情報端末が、受信した前記災害情報を携帯端末機器にＢｌｕｅｔｏｏｔｈ  Ｌｏｗ  Ｅｎｅｒｇｙ規格によるブロードキャスト通信する、
災害情報通知方法。
【請求項１０】
災害情報を受信する受信部と、
受信した前記災害情報を、携帯端末機器、もしくは他の携帯情報端末にＢｌｕｅｔｏｏｔｈ  Ｌｏｗ  Ｅｎｅｒｇｙ規格によるブロードキャスト通信する通信部と、
を備えている、
携帯情報端末。
【請求項１１】
請求項１０において、
ユーザーの位置情報を取得する位置情報取得部と、
算出された前記ユーザーの位置情報、または、予め設定された地域情報に基づいて、前記ユーザーが前記災害情報に係る災害発生エリアに関係する場所にいるか否かを特定する判定部と、
前記ユーザーが、前記関係する場所にいると特定した場合、前記通信部に前記災害情報の送信を指示する通信指示部と、を含む、
携帯情報端末。
【請求項１２】
携帯情報端末から、Ｂｌｕｅｔｏｏｔｈ  Ｌｏｗ  Ｅｎｅｒｇｙ規格によるブロードキャスト通信された災害情報を受信し、
前記災害情報を受信したことを、音、振動、および画面表示の少なくともいずれかで通知する、
携帯端末機器。
【請求項１３】
請求項１２において、
生体センサーの出力データ、およびモーションセンサーの出力データに基づいて、ユーザーの状態に係るユーザー情報をモニタリングし、
前記災害情報を受信した後、モニタリングされた前記ユーザー情報を、前記携帯情報端末に送信する、
携帯端末機器。
【請求項１４】
第１の携帯情報端末と、
携帯端末機器と、
を含み、
前記第１の携帯情報端末が、災害情報を受信し、
前記第１の携帯情報端末は、受信した前記災害情報を前記携帯端末機器にＢｌｕｅｔｏｏｔｈ  Ｌｏｗ  Ｅｎｅｒｇｙ規格によるブロードキャスト通信する、
災害情報通知システム。
【請求項１５】
請求項１４において、
生体情報センサーの出力データ、およびモーションセンサーの出力データに基づいて、ユーザーの状態に係るユーザー情報をモニタリングし、
前記携帯端末機器は、前記災害情報を受信した後、前記モニタリングされた前記ユーザー情報を、前記第１の携帯情報端末に送信する、
災害情報通知システム。
【請求項１６】
請求項１４または請求項１５において、
前記第１の携帯情報端末は、
算出された前記ユーザーの位置情報、または、予め設定した地域情報に基づいて、前記ユーザーが前記災害情報に係る災害発生エリアに関係する場所にいるか否かを特定し、
前記ユーザーが、前記関係する場所にいると特定した場合、前記災害情報を送信する、
災害情報通知システム。
【請求項１７】
第１の携帯情報端末と、
第２の携帯情報端末と、
携帯端末機器と、
を含み、
前記第１の携帯情報端末が、前記第２の携帯情報端末に災害情報を送信し、
前記第２の携帯情報端末が、受信した前記災害情報を前記携帯端末機器にブロードキャスト通信する、
災害情報通知システム。
【請求項１８】
第１の携帯情報端末が、災害情報を受信するステップと、
前記第１の携帯情報端末が、受信した前記災害情報を携帯端末機器にＢｌｕｅｔｏｏｔｈ  Ｌｏｗ  Ｅｎｅｒｇｙ規格によるブロードキャスト通信するステップと、
前記携帯端末機器が、前記災害情報を受信したことを通知するステップと、
を含む、
プログラム。
【請求項１９】
第１の携帯情報端末が、災害情報を受信するステップと、
前記第１の携帯情報端末が、受信した前記災害情報を携帯端末機器にＢｌｕｅｔｏｏｔｈ  Ｌｏｗ  Ｅｎｅｒｇｙ規格によるブロードキャスト通信するステップと、
前記携帯端末機器が、前記災害情報を受信したことを通知するステップと、
をコンピューターに実行させるプログラムを記憶している、
記憶媒体。
【発明の詳細な説明】
【技術分野】
【０００１】
本発明は、災害情報通知方法、携帯情報端末、携帯端末機器、災害情報通知システム、プログラム、および記憶媒体に関する。
【背景技術】
【０００２】
従来、災害の発生を検出したり予測したりして、例えば携帯機器などを用い、災害警告や緊急通報としてユーザーに知らせる方法が開示されている（例えば、特許文献１、特許文献２、および特許文献３参照）。
【０００３】
特許文献１には、災害の発生を検出して災害警告をユーザーのコンピューティングデバイスに発令するシステムが開示されている。なお、このときのコンピューティングデバイスには、パーソナルコンピューター、ワークステーション、ラップトップコンピューター、ハンドヘルドコンピューター、モバイルインターネットデバイス、携帯電話、携帯情報端末（ＰＤＡ：Personal Digital Assistant）、電話デバイス、ネットワーク機器、仮想化デバイス、ストレージコントローラー等があるとされている。また、特許文献２には、気象庁から発せられる緊急地震速報を端末へ送信する技術が開示されている。また、特許文献３には、ネットワークを介して緊急通報を携帯電話端末へ送り、さらに、携帯電話端末から近距離無線通信により携帯機器などの端末機器に送る技術が開示されている。
【０００４】
このような緊急性の高い災害警告や緊急通報などの災害情報は、ユーザーの携帯（保持）する携帯情報端末や携帯機器により確実に受信されることが望まれる。
【先行技術文献】
【特許文献】
【０００５】
【特許文献１】特開２０１６−５３９９６号公報
【特許文献２】特開２００６−１４５２３４号公報
【特許文献３】特開２００４−３０４６９０号公報
【発明の概要】
【発明が解決しようとする課題】
【０００６】
しかしながら、緊急性の高い災害警告や緊急通報などの災害情報は、ユーザーの携帯（保持）する携帯情報端末や携帯機器により確実に受信されることが望まれるが、上述のような技術では、例えばユーザーが登山中に災害が発生したときなど、通信状態が必ずしも良好でないエリアにユーザーが居る場合、発信された災害情報を、ユーザーの携帯（保持）する携帯情報端末や携帯機器によって確実、且つ速やかに受信させるには十分でない虞があった。
【課題を解決するための手段】
【０００７】
本発明は、上述の課題の少なくとも一部を解決するためになされたものであり、以下の形態または適用例として実現することが可能である。
【０００８】
［適用例１］本適用例に係る災害情報通知方法は、第１の携帯情報端末が、災害情報を受信し、前記第１の携帯情報端末が、受信した前記災害情報を携帯端末機器に、Ｂｌｕｅｔｏｏｔｈ（登録商標）  Ｌｏｗ  Ｅｎｅｒｇｙ規格によるブロードキャスト通信する、ことを特徴とする。
【０００９】
本適用例によれば、第１の携帯情報端末が災害情報を受信したら、その第１の携帯情報端末から、災害情報を、その周辺エリア内にいるユーザーが夫々携帯している携帯端末機器に向けて、ブロードキャスト通信により一方的に一斉送信する。このように、災害情報を受信した第１の携帯情報端末、例えば複数の第１の携帯情報端末から災害情報が一斉送信されるため、ユーザーが夫々携帯している携帯端末機器によって災害情報を受信する精度を高めることができる。
【００１０】
［適用例２］上記適用例に記載の災害情報通知方法において、前記第１の携帯情報端末は、前記携帯端末機器が前記災害情報を受信するまで前記ブロードキャスト通信することが好ましい。
【００１１】
本適用例によれば、携帯端末機器が受信するまで、第１の携帯情報端末からの災害情報の送信がブロードキャスト通信により継続されるため、携帯端末機器が受信できる機会が増加し、ユーザーが夫々携帯している携帯端末機器による災害情報の受信確率を高めることができる。
【００１２】
［適用例３］上記適用例に記載の災害情報通知方法において、前記第１の携帯情報端末は、前記ブロードキャスト通信を間欠に行うことが好ましい。
【００１３】
本適用例によれば、間欠通信により消費電流を小さくすることができ、第１の携帯情報端末の電池容量の減少を抑え、電池の寿命を長くすることができる。
【００１４】
［適用例４］上記適用例に記載の災害情報通知方法において、前記携帯端末機器は、リスト機器、携帯情報端末、携帯電話、およびタブレットの少なくとも何れかであることが好ましい。
【００１５】
本適用例によれば、ユーザーの携帯や装着が容易なリスト機器、携帯情報端末、携帯電話、およびタブレットの少なくとも何れかにより災害情報を得ることができる。
【００１６】
［適用例５］上記適用例に記載の災害情報通知方法において、前記携帯端末機器は、生体情報センサーの出力データ、およびモーションセンサーの出力データに基づいて、ユーザーの状態に係るユーザー情報をモニタリングし、前記災害情報を受信した後、前記モニタリングされた前記ユーザー情報を、前記第１の携帯情報端末に送信することが好ましい。
【００１７】
本適用例によれば、災害情報を受信した携帯端末機器を携帯しているユーザーに関し、例えば体調に変化や異常は無いか、もしくは移動の有無や居場所などのユーザーの状態を、第１の携帯情報端末および第２の携帯情報端末の少なくともいずれかから取得することが可能となる。これにより、ユーザーにダメージが有るか否かなどを推定することができ、災害時の救助活動などに活用することができる。
【００１８】
［適用例６］上記適用例に記載の災害情報通知方法において、前記第１の携帯情報端末は、算出された前記ユーザーの位置情報、または、予め設定した地域情報に基づいて、前記ユーザーが前記災害情報に係る災害発生エリアに関係する場所にいるか否かを特定し、前記ユーザーが、前記関係する場所にいると特定した場合、前記災害情報を送信することが好ましい。
【００１９】
本適用例によれば、ユーザーが、災害に関係する場所にいると特定した場合に災害情報を送信する、所謂フィルタリング機能により、必要な情報のみを選択して送信することで、より効率的な災害情報の伝達を行うことができる。
【００２０】
［適用例７］上記適用例に記載の災害情報通知方法において、前記携帯端末機器は、前記災害情報を受信したことを、音、振動、および画面表示の少なくともいずれかで通知することが好ましい。
【００２１】
本適用例によれば、災害情報を受信したことを、携帯端末機器から、音、振動、および画面表示の少なくともいずれかで通知することにより、より確実、且つ速やかにユーザーに知らせることができる。
【００２２】
［適用例８］上記適用例に記載の災害情報通知方法において、前記災害情報を受信した前記携帯端末機器の表示部をスクロールする、またはページ送りをすることにより、前記災害情報に係る複数の情報が順に表示されることが好ましい。
【００２３】
本適用例によれば、携帯端末機器の小さな表示部であっても、ユーザーは、表示部をスクロールする、またはページ送りをすることにより、的確な情報を得ることができる。
【００２４】
［適用例９］本適用例に係る災害情報通知方法は、第１の携帯情報端末が、第２の携帯情報端末に災害情報を送信し、前記第２の携帯情報端末が、受信した前記災害情報を携帯端末機器にＢｌｕｅｔｏｏｔｈ  Ｌｏｗ  Ｅｎｅｒｇｙ規格によるブロードキャスト通信することを特徴とする。
【００２５】
本適用例によれば、例えば第１の携帯情報端末との通信が不可能な携帯端末機器であっても、第２の携帯情報端末との通信が可能であれば災害情報を受信することができる。このように、携帯端末機器の受信確率を高めることができる。
【００２６】
［適用例１０］本適用例に係る携帯情報端末は、災害情報を受信する受信部と、受信した前記災害情報を、携帯端末機器、もしくは他の携帯情報端末にＢｌｕｅｔｏｏｔｈ  Ｌｏｗ  Ｅｎｅｒｇｙ規格によるブロードキャスト通信する通信部と、を備えていることを特徴とする。
【００２７】
本適用例によれば、受信部により受信した災害情報を、その周辺エリア内にいるユーザーが夫々携帯している携帯端末機器に向けて、通信部からブロードキャスト通信により一方的に一斉送信する。このように、災害情報を受信した携帯情報端末から災害情報が一斉送信されるため、ユーザーが夫々携帯している携帯端末機器により災害情報を受信する精度を高めることができる。
【００２８】
［適用例１１］上記適用例に記載の携帯情報端末において、ユーザーの位置情報を取得する位置情報取得部と、算出された前記ユーザーの位置情報、または、予め設定された地域情報に基づいて、前記ユーザーが前記災害情報に係る災害発生エリアに関係する場所にいるか否かを特定する判定部と、前記ユーザーが、前記関係する場所にいると特定した場合、前記通信部に前記災害情報の送信を指示する通信指示部と、を含むことが好ましい。
【００２９】
本適用例によれば、携帯情報端末は、ユーザーが、災害に関係する場所にいると特定した場合に通信部から災害情報を送信する、所謂フィルタリング機能により、必要な情報のみを選択して送信することで、より効率的な災害情報の伝達を行うことができる。
【００３０】
［適用例１２］本適用例に係る携帯端末機器は、携帯情報端末から、Ｂｌｕｅｔｏｏｔｈ  Ｌｏｗ  Ｅｎｅｒｇｙ規格によるブロードキャスト通信された災害情報を受信し、前記災害情報を受信したことを、音、振動、および画面表示の少なくともいずれかで通知することを特徴とする。
【００３１】
本適用例によれば、ブロードキャスト通信により一方的に一斉送信された災害情報を受信し、災害情報を受信したことを、音、振動、および画面表示の少なくともいずれかで通知するため、携帯や装着しているユーザーは、災害情報の覚知をより確実、且つ速やかに認識することができる。
【００３２】
［適用例１３］上記適用例に記載の携帯端末機器において、生体センサーの出力データ、およびモーションセンサーの出力データに基づいて、ユーザーの状態に係るユーザー情報をモニタリングし、前記災害情報を受信した後、モニタリングされた前記ユーザー情報を、前記携帯情報端末に送信することが好ましい。
【００３３】
本適用例によれば、災害情報を受信した携帯端末機器を携帯や装着しているユーザーに関し、例えば体調に変化や異常は無いか、もしくは移動の有無や居場所などのユーザーの状態を、携帯情報端末から取得することが可能となる。これにより、ユーザーにダメージが有るか否かなどを推定することができ、災害時の救助活動などに活用することができる。
【００３４】
［適用例１４］本適用例に係る災害情報通知システムは、第１の携帯情報端末と、携帯端末機器と、を含み、前記第１の携帯情報端末が、災害情報を受信し、前記第１の携帯情報端末は、受信した前記災害情報を前記携帯端末機器にＢｌｕｅｔｏｏｔｈ  Ｌｏｗ  Ｅｎｅｒｇｙ規格によるブロードキャスト通信することを特徴とする。
【００３５】
本適用例によれば、第１の携帯情報端末が災害情報を受信したら、その第１の携帯情報端末から、災害情報を、その周辺エリア内にいるユーザーが夫々携帯している携帯端末機器に向けて、ブロードキャスト通信により一方的に一斉送信する。このように、災害情報を受信した第１の携帯情報端末、例えば複数の第１の携帯情報端末から災害情報が一斉送信されるため、ユーザーが夫々携帯している携帯端末機器により災害情報を受信する精度を高めることの可能な災害情報通知システムとすることができる。
【００３６】
［適用例１５］上記適用例に記載の災害情報通知システムにおいて、生体情報センサーの出力データ、およびモーションセンサーの出力データに基づいて、ユーザーの状態に係るユーザー情報をモニタリングし、前記携帯端末機器は、前記災害情報を受信した後、前記モニタリングされた前記ユーザー情報を、前記第１の携帯情報端末に送信することが好ましい。
【００３７】
本適用例によれば、災害情報を受信した携帯端末機器を携帯や装着しているユーザーに関し、例えば体調に変化や異常は無いか、もしくは移動の有無や居場所などのユーザーの状態を、第１の携帯情報端末および第２の携帯情報端末の少なくともいずれかから取得することが可能となる。これにより、ユーザーにダメージが有るか否かなどを推定することができ、災害時の救助活動などに活用可能な災害情報通知システムとすることができる。
【００３８】
［適用例１６］上記適用例に記載の災害情報通知システムにおいて、前記第１の携帯情報端末は、算出された前記ユーザーの位置情報、または、予め設定した地域情報に基づいて、前記ユーザーが前記災害情報に係る災害発生エリアに関係する場所にいるか否かを特定し、前記ユーザーが、前記関係する場所にいると特定した場合、前記災害情報を送信することが好ましい。
【００３９】
本適用例によれば、ユーザーが、災害に関係する場所にいると特定した場合に災害情報を送信する、所謂フィルタリング機能により、必要な情報のみを選択して送信することで、より効率的な災害情報の伝達を行うことが可能な災害情報通知システムとすることができる。
【００４０】
［適用例１７］本適用例に係る災害情報通知システムは、第１の携帯情報端末と、第２の携帯情報端末と、携帯端末機器とを含み、前記第１の携帯情報端末から前記第２の携帯情報端末へ前記災害情報を送信し、第２の携帯情報端末から前記携帯端末機器へブロードキャスト通信することを特徴とする。
【００４１】
本適用例によれば、ユーザーの携帯や装着する携帯端末機器が、例えば第１の携帯情報端末との通信が不可能な位置にあっても、第２の携帯情報端末との通信が可能であれば災害情報を受信することができる。このように、携帯端末機器の受信確率を高める災害情報通知システムとすることができる。
【００４２】
［適用例１８］本適用例に係るプログラムは、第１の携帯情報端末が、災害情報を受信するステップと、前記第１の携帯情報端末が、受信した前記災害情報を携帯端末機器にＢｌｕｅｔｏｏｔｈ  Ｌｏｗ  Ｅｎｅｒｇｙ規格によるブロードキャスト通信するステップと、前記携帯端末機器が、前記災害情報を受信したことを通知するステップと、を含む。
【００４３】
本適用例によれば、第１の携帯情報端末が災害情報を受信したら、その第１の携帯情報端末から、災害情報を、その周辺エリア内にいるユーザーが夫々携帯している携帯端末機器に向けて、ブロードキャスト通信により一方的に一斉送信する。このように、災害情報を受信した第１の携帯情報端末、例えば複数の第１の携帯情報端末から災害情報が一斉送信されるため、ユーザーが夫々携帯している携帯端末機器により災害情報を受信する精度を高めることの可能なプログラムを提供することができる。
【００４４】
［適用例１９］本適用例に係る記憶媒体は、第１の携帯情報端末が、災害情報を受信するステップと、前記第１の携帯情報端末が、受信した前記災害情報を携帯端末機器にＢｌｕｅｔｏｏｔｈ  Ｌｏｗ  Ｅｎｅｒｇｙ規格によるブロードキャスト通信するステップと、前記携帯端末機器が、前記災害情報を受信したことを通知するステップと、をコンピューターに実行させるプログラムを記憶している。
【００４５】
本適用例によれば、記憶されているプログラムに基づいてコンピューターを実行させることにより、第１の携帯情報端末が災害情報を受信したら、その第１の携帯情報端末から災害情報を、その周辺エリア内にいるユーザーが夫々携帯している携帯端末機器に向けて、ブロードキャスト通信により一方的に一斉送信し、ユーザーが夫々携帯している携帯端末機器により災害情報を通知させることができる。これにより、災害情報を受信する精度を高めることができる。
【図面の簡単な説明】
【００４６】
【図１】本発明に係る災害情報通知システムの概要を示す概略全体図。
【図２】本発明に係る災害情報通知システムに用いられるブロードキャスト通信の概要を示す説明図。
【図３】携帯情報端末としてのスマートフォンの概略を示す平面図。
【図４】携帯端末機器としてのリスト機器の概略を示す斜視図。
【図５】本発明に係る災害情報通知システムの概略構成を示す機能ブロック図。
【図６】災害情報通知方法に係る第１実施形態を示すフローチャート。
【図７Ａ】災害情報が受信されたときのリスト機器の表示例１を示す平面図。
【図７Ｂ】リスト機器の表示例２を示す平面図。
【図７Ｃ】リスト機器の表示例３を示す平面図。
【図８】災害情報通知方法に係る第２実施形態を示すフローチャート。
【図９】災害情報通知方法に係る第３実施形態を示すフローチャート。
【図１０】災害情報通知システムの変形例を概略的に示す全体図。
【発明を実施するための形態】
【００４７】
以下、本発明に係る災害情報通知システムの実施形態について説明する。なお、以下に説明する実施形態は、特許請求の範囲に記載された本発明の内容を不当に限定するものではない。また、各実施形態で説明される構成の全てが、本発明の必須構成要件であるとは限らない。
【００４８】
１．災害情報通知システム
１．１．災害情報通知システムの概略構成
先ず、本発明に係る災害情報通知システムの実施形態について図１、図２、図３、および図４を参照して説明する。以下では、災害情報通知システムに用いられる携帯情報端末としてスマートフォンを例示し、携帯端末機器として、ユーザーの手首に装着される脈波センサーや体動センサーを備えたリスト機器（ウェアラブル機器）を例示して説明する。図１は、本発明に係る災害情報通知システムの概要を示す概略全体図である。図２は、本発明に係る災害情報通知システムに用いられるブロードキャスト通信の概要を示す説明図である。図３は、携帯情報端末としてのスマートフォンの概略を示す平面図である。図４は、携帯端末機器としてのリスト機器の概略を示す斜視図である。
【００４９】
本発明に係る災害情報通知システム１では、図１に示すように、災害の発生を検出したり予測したりして、災害警告や緊急通報などの災害情報を送信する通知インフラ５００と、複数のユーザー（不図示）の保有する第１の携帯情報端末としてのスマートフォン１０，１０Ａ，１０Ｂと、ユーザーＳの手首に装着されている携帯端末機器としてのリスト機器１００とを含む。
【００５０】
通知インフラ５００から送信された災害情報は、複数のユーザーの携帯（保有）するスマートフォン１０，１０Ａ，１０Ｂの少なくともいずれかによって受信される。以下、本形態では、スマートフォン１０が受信した場合を例示して説明する。災害情報を受信したスマートフォン１０は、リスト機器１００に向けて、Ｂｌｕｅｔｏｏｔｈ（登録商標）  Ｌｏｗ  Ｅｎｅｒｇｙ規格によるブロードキャスト通信を行い、災害情報を送信する。
【００５１】
なお、スマートフォン１０およびリスト機器１００は、Ｂｌｕｅｔｏｏｔｈの機能を有しており、スマートフォン１０とリスト機器１００とは、Ｂｌｕｅｔｏｏｔｈ通信によって接続されることができる。Ｂｌｕｅｔｏｏｔｈ通信は、２．４ＧＨｚ帯を複数の周波数チャネルに分け、利用する周波数をランダムに変える周波数ホッピングを行いながら、半径１０〜１００ｍ程度の範囲のＢｌｕｅｔｏｏｔｈ搭載機器間の無線通信を行うことができる。指向性の少ない、簡易なデジタル無線通信としてモバイル通信に好適なＢｌｕｅｔｏｏｔｈ通信によって、スマートフォン１０とリスト機器１００との接続を好適に行うことができる。
【００５２】
また、本形態のＢｌｕｅｔｏｏｔｈ通信は、Ｂｌｕｅｔｏｏｔｈ  Ｌｏｗ  Ｅｎｅｒｇｙ（Bluetooth 4.0 ともいう）による通信を適用している。Ｂｌｕｅｔｏｏｔｈ  Ｌｏｗ  Ｅｎｅｒｇｙ（以下、ＢＬＥという）は、２．４ＧＨｚ帯の無線を用いた近距離無線通信の規格であり、省電力性が重視されている。ＢＬＥでは、ホスト側とデバイス側とで、ＧＡＴＴ（Generic ATTribute）というプロファイルで通信を行う。このような、ＢＬＥを適用した通信を行うことにより、従来のバージョンに比べ大幅に省電力化することが可能となり、スマートフォン１０やリスト機器１００の使用可能時間を長くすることが可能となる。
【００５３】
ここで、Ｂｌｕｅｔｏｏｔｈ  Ｌｏｗ  Ｅｎｅｒｇｙ規格によるブロードキャスト通信について、図２を参照して説明する。ブロードキャスト通信では、特定の相手を指定せず、同じネットワークに参加するすべての機器に向けて一斉にデータなどを送信する。図２に示す例では、通知インフラ５００から送信された災害情報を受信したスマートフォン１０は、リスト機器１００，１００Ａ，１００Ｂの一台一台に向けて別々に同じ信号やデータを送信するのではなく、ネットワーク全体を表す特殊なアドレスなどを宛先に指定して一度だけ矢印ＢＣで示すように送信する。そして、受信可能な範囲にある機器（リスト機器１００，１００Ａ，１００Ｂ）のすべてが、これを自分宛てとみなして受信する。
【００５４】
図１に戻り、スマートフォン１０からブロードキャスト通信により送信された災害情報を受信したリスト機器１００は、災害情報を受信したことを、音、振動、および画面表示の少なくともいずれかで通知する。災害情報の受信を、音、振動、および画面表示の少なくともいずれかで通知されたユーザーＳは、リスト機器１００の表示部１７１（図５参照）をスクロールしたり、ページ送りしたりするなどして表示を確認する。また、ユーザーＳは、保有している第１の携帯情報端末の表示を確認したりする。このようにユーザーＳは、災害の状況を速やかに、且つ的確、確実に把握することができる。
【００５５】
また、災害情報を受信したリスト機器１００は、ユーザーＳの状態をモニタリングして、スマートフォン１０にモニタリング結果を送信することができる。なお、ここでのユーザーＳの状態とは、ユーザーＳに関して、例えば体調に変化や異常は無いか、もしくは移動の有無や居場所などからダメージが有るか否か、移動ができるか否か、などを推定した状態をいう。これにより、スマートフォン１０からユーザーＳの状態を取得することが可能となり、例えばユーザーＳのダメージなどを遠隔地から推定することができ、災害時の救助活動などに活用することが可能となる。
【００５６】
通知インフラ５００は、例えば津波や噴火をはじめとする大規模災害などの発生時、もしくは発生が予測されるときに、必要な情報を災害情報として送出する基地局などのインフラ（基盤）である。例えば、通知インフラ５００として、Ｊアラート基盤、もしくは地方公共団体、指定行政機関、指定地方行政機関、指定公共機関などを例示することができる。
【００５７】
携帯情報端末としてのスマートフォン１０は、図３に示すように、ケース１１、操作ボタン１２、スピーカー１３、マイク１４、ケース１１の開口に配置された表示部７０、ケース１１に収容されている受信部３０や通信部６０などを備えている。操作ボタン１２は、種々の機能を切り替えたり、ＯＮ−ＯＦＦ動作を行ったりする。スピーカー１３およびマイク１４は、通話時の受話器として機能する。受信部３０は、通知インフラ５００から送信された災害情報を受信することができる。通信部６０は、受信した災害情報を、Ｂｌｕｅｔｏｏｔｈ  Ｌｏｗ  Ｅｎｅｒｇｙ規格によるブロードキャスト通信を用いて送信することができる。表示部７０は、種々の情報を画像表示することができる。なお、スマートフォン１０は、他の機能構成を有しているが、それらは後段にて説明する。
【００５８】
ここで、スマートフォン１０を例示した携帯情報端末は、携帯電話、タブレット、身体装着型機器などを用いることができ、スマートフォン１０と同様な機能や効果を得ることができる。
【００５９】
リスト機器１００は、図４に示すように、ユーザーＳ（図１参照）の所与の部位（例えば、手首）に装着され、現在時刻、およびユーザーの位置情報や移動情報（物理量の情報）などを表示する。リスト機器１００は、現在時刻、およびユーザーＳの位置情報や移動情報（物理量の情報）などを検知したり表示したりする機器本体１０５と、機器本体１０５に取り付けられ機器本体１０５をユーザーＳに装着するためのバンド部１３１，１３２と、を有する。なお、リスト機器１００には、現在時刻、およびユーザーの位置情報や移動情報（物理量の情報）に加えて、例えば脈波情報などの生体情報を検出し、表示する機能が設けられている。
【００６０】
機器本体１０５は、ユーザーＳへの装着側にボトムケース１１２が配置され、ユーザーＳへの装着側と反対側には、トップケース１１１が配置されている。ボトムケース１１２およびトップケース１１１は、例えばステンレススチールなどの金属、もしくは樹脂などによって形成することができるが、金属によって構成することが好ましい。ケースとしてのボトムケース１１２およびトップケース１１１が金属によって構成されていることにより、ボトムケース１１２およびトップケース１１１に収容されている複数のセンサーの検知結果に影響する外部からの外乱ノイズを遮蔽することができる。また、高級感を感じさせたりファッション性を高めたりすることができる。また、トップケース１１１とボトムケース１１２とに分離される態様のものでなくてもよく、一体構造のケース部と、ケース部のユーザーへの装着側に、裏蓋が設けられている構成でもよい。
【００６１】
機器本体１０５の一方側であるトップ側（トップケース１１１）には、ベゼル１１９が設けられるとともに、このベゼル１１９の内側に配置されて内部構造を保護する天板部分（外壁）としてのガラス板１１８が設けられている。機器本体１０５は、ガラス板１１８を介して、ガラス板１１８の直下に設けられる表示部１７１を備え、表示部１７１の表示をユーザーが閲覧可能な構成としてもよい。つまりリスト機器１００では、検出した位置情報や移動情報（物理量の情報）、或いは時刻情報などの種々の情報を表示部１７１に表示し、当該表示を機器本体１０５のトップ側からユーザーに提示するものであってもよい。
【００６２】
なお、リスト機器１００の表示部１７１に表示される情報は、例えば位置情報取得部１１０（図５参照）で受信した衛星信号に含まれる情報そのもの、受信した衛星信号を処理して得られた現在時刻、現在位置、移動距離や速度などである。あるいは、表示部１７１に表示される情報は、各種センサーによって検知した例えば歩数、気圧、高度、方位、温度、湿度などの物理量や、脈波、脈拍、血圧、体温など生体情報である。あるいは、表示部１７１に表示される情報は、リスト機器１００が取得した情報に基づいて新たに生成される情報であってもよい。あるいは、表示部１７１に表示される情報は、情報受信部１３０（図５参照）で受信した災害情報に基づいた情報であってもよい。
【００６３】
また、機器本体１０５の側面には、例えば表示部１７１に表示される表示モードを切り替えたり、指示針の運針の開始や停止を切り替えたりする複数のボタン１１３，１１５が設けられている。なお、表示部１７１は、スクロールしたり、ページ送りしたりすることができる。
【００６４】
なお、ここでは機器本体１０５の天板部分をガラス板１１８により実現する例を示したが、表示部１７１を閲覧可能な透明部材であり、表示部１７１などのトップケース１１１とボトムケース１１２の内部に含まれる構成を保護可能な程度の強度を有する部材であれば、透明のプラスチックなど、ガラス以外の材料により天板部分を構成することが可能である。また、ベゼル１１９が設けられた構成例を示したが、ベゼル１１９の設けられていない構成であってもよい。
【００６５】
リスト機器１００を例示した携帯端末機器は、リスト機器１００の他に、スマートフォンなどの携帯情報端末、携帯電話、およびタブレットの少なくとも何れかとすることができる。このような、携帯端末機器であっても、リスト機器１００と同様に、ユーザーの携帯（保持）が容易であり、且つ災害情報を的確に速やかに得ることができる。また、リスト機器１００は、頸部や足首等、ユーザーの他の部位に装着されるウェアラブル機器としてもよい。
【００６６】
また、本実施形態に係る災害情報通知システム１の各構成部位の処理をプログラムにより実現することができる。すなわち、本実施形態の手法は、不図示の複数のユーザーの少なくともいずれかに携帯されたスマートフォン１０が、災害情報を受信し、受信した災害情報を、スマートフォン１０から、リスト機器１００に、Ｂｌｕｅｔｏｏｔｈ  Ｌｏｗ  Ｅｎｅｒｇｙ規格によるブロードキャスト通信を行い、受信した当該災害情報を、リスト機器１００によって、例えば表示や振動などによって通知する処理をコンピューターに実行させるプログラムに適用できる。
【００６７】
１．２．災害情報通知システムを構成する機器の機能構成
次に、図５を参照して、本発明に係る災害情報通知システムの機能構成を、さらに詳細に説明する。図５は、本発明に係る災害情報通知システムの概略構成を示す機能ブロック図である。
【００６８】
１．２−１．携帯情報端末
携帯情報端末としてのスマートフォン１０は、その機能構成として、図５に示されているように、位置情報取得部２０と、受信部３０と、制御部４０と、判定部４５と、記憶部５０と、通信指示部５５と、通信部６０と、表示部７０と、情報入力部８０と、電源部９０と、を含んでいる。ただし、スマートフォン１０は、図５に示す構成に限定されず、これらの一部の構成要素を省略したり、他の構成要素を追加するなどの種々の変形実施が可能である。スマートフォン１０は、例えば、リスト機器１００に含まれている体動センサー部１２０や身体情報取得部１５０などを含んでもよい。
【００６９】
位置情報取得部２０は、ユーザーの位置情報を取得する全地球的航法衛星システム（GNSS：Global Navigation Satellite System）などと呼ばれる位置情報衛星を用いた位置測位システムの一例としてのＧＰＳ（Global Positioning System）と言い換えることができる。位置情報取得部２０は、ＧＰＳ通信部２１を含み、ＧＰＳ通信部２１が受信した複数のＧＰＳ衛星信号に基づいて測位計算を行い、スマートフォン１０を携帯しているユーザーの位置情報として取得することができる。
【００７０】
受信部３０は、通知インフラ５００からの災害情報を含む種々の情報を受信することができる。また、受信部３０は、リスト機器１００からの、例えばセンシングデータなどの情報を受信することができる。受信部３０によって受信された災害情報は、制御部４０および判定部４５に送られる。
【００７１】
制御部（ＣＰＵ）４０は、例えば記憶部５０をワーク領域として、各種の情報処理や制御処理を行うものであり、例えばＣＰＵ等のプロセッサーあるいはＡＳＩＣなどの論理回路により実現できる。制御部４０は、情報入力部８０に入力された地域情報として設定し、記憶部５０に記憶させる。制御部４０は、取得した災害情報やリスト機器１００からのセンシングデータなどの情報を処理し、予め設定された地域情報と共に判定部４５に送ったり、表示部７０における表示内容に基づいた、例えば画像信号を送信したりすることができる。なお、ここで表示部に送信される信号は、画像信号、振動信号、もしくは発光信号などとすることができる。
【００７２】
制御部４０は、種々の情報（例えばプログラムや各種のデータ）を記憶するメモリー（記憶部５０）と、メモリーに記憶された情報に基づいて動作するプロセッサーを含む。プロセッサーは、例えば各部の機能が個別のハードウェアで実現されてもよいし、あるいは各部の機能が一体のハードウェアで実現されてもよい。プロセッサーは、例えばＣＰＵ（Central Processing Unit）であってもよい。ただしプロセッサーはＣＰＵに限定されるものではなく、ＧＰＵ（Graphics Processing Unit）、あるいはＤＳＰ（Digital Signal Processor）等、各種のプロセッサーを用いることが可能である。またプロセッサーはＡＳＩＣによるハードウェア回路でもよい。
【００７３】
判定部４５は、位置情報取得部２０の算出したユーザーの位置情報、および制御部４０によって処理された災害情報や地域情報に基づいて、リスト機器１００を携帯しているユーザーＳが災害情報に係る災害発生エリアに関係する場所にいるか否かを特定する。判定部４５により、ユーザーＳが災害発生エリアに関係する場所にいると特定された場合、後述する通信指示部５５は、通信部６０に災害情報の送信を指示する。
【００７４】
記憶部５０は、制御部４０によって設定された地域情報を記憶したり、取得した災害情報やリスト機器１００からのセンシングデータなどの情報を記憶したりする。また、記憶部５０は、本実施形態に係る災害情報通知システム１の一連の処理をコンピューターに実行させるプログラムを記憶する。メモリーは、例えばＳＲＡＭ（Static Random Access Memory）、ＤＲＡＭ（Dynamic Random Access Memory）などの半導体メモリーを記憶媒体として構成することができる。
【００７５】
通信指示部５５は、判定部４５により、ユーザーＳが災害情報に係る災害発生エリアに関係する場所にいると特定された場合に、通信部６０に災害情報の送信を指示することができる。このような機能を有するスマートフォン１０によれば、ユーザーＳが、災害に関係する場所にいると特定した場合に通信部６０から災害情報を送信する、所謂フィルタリング機能により、必要な情報のみを選択して送信することで、より効率的な災害情報の伝達を行うことができる。
【００７６】
なお、上述のような判定部４５による災害発生エリアに係る特定を行わず、災害情報を受信したいずれの場合も、判定部４５から通信部６０に災害情報の送信を指示することとしてもよい。
【００７７】
通信部６０は、判定部４５、もしくは通信指示部５５からの災害情報の送信指示に基づいて、災害情報をリスト機器１００などの携帯端末機器に送信するための通信処理を行う。この場合、ネットワークＮＥを用いずに、例えばＢｌｕｅｔｏｏｔｈ（ブルートゥース）などの規格にしたがった無線通信の処理を行うことができ、本形態では、Ｂｌｕｅｔｏｏｔｈ  Ｌｏｗ  Ｅｎｅｒｇｙ規格によるブロードキャスト通信によって災害情報を送信する。
【００７８】
表示部７０は、制御部４０の制御により、例えば液晶ディスプレイなどを用いて構成された表示画面に、各種の情報を表示する。表示部７０は、制御部４０からの信号に基づいて、例えば現在位置情報や移動情報、もしくは活動情報や災害情報の有無などを画像表示することができる。表示部７０は、例えばタッチパネル型ディスプレイとすることができる。このようなタッチパネル型ディスプレイを用いた表示部７０とすることにより、表示部７０に触れる（画面タッチ）などによって、スクロールやページ送りを行ったり、拡大縮小したりすることにより、表示内容を切り替えることができる。
【００７９】
なお、図示しないが、他の通知方法として、振動モーター（バイブレーター）などを用いた振動、もしくはＬＥＤなどを用いた発光などによって前述の情報を通知することができる。これらの情報は、画像表示のみで行ってもよいし、振動、および発光の少なくともいずれかと組み合わせて通知してもよい。
【００８０】
情報入力部８０は、予め設定する地域情報などを入力したり設定したりすることができる。ここでの地域情報には、ユーザーの現在位置に係る地域エリアや、その地域エリアに対して発せられている警報や注意情報などの情報などを含む。
【００８１】
電源部９０は、例えば充電可能な電池（例えばリチウム二次電池）で構成される。電源部９０は、スマートフォン１０を構成する各構成部位に電源を供給し、動作させることができる。なお、充電可能な電池を用いる例を説明したが、電池には、充電が不要な一次電池を用いてもよい。
【００８２】
このような携帯情報端末としてのスマートフォン１０によれば、受信部３０により受信した災害情報を、その周辺エリア内にいるユーザーＳが夫々携帯しているリスト機器１００に向けて、通信部６０からブロードキャスト通信により一方的に一斉送信する。このように、災害情報を受信したスマートフォン１０から災害情報が一斉送信されるため、ユーザーＳが夫々携帯しているリスト機器１００により災害情報を受信する精度を高めることができる。
【００８３】
１．２−２．携帯情報端末
携帯端末機器として、ユーザーＳの、例えば手首などに装着されるリスト機器１００は、その機能構成として、図５に示されているように、位置情報取得部１１０、体動センサー部１２０、情報受信部１３０、制御処理部１４０、身体情報取得部１５０、記憶部１６０、報知部１７０、通信部１８０、および電源部１９０を含んでいる。ただし、リスト機器１００は、図５に示す構成に限定されず、これらの一部の構成要素を省略したり、他の構成要素を追加するなどの種々の変形実施が可能である。
【００８４】
位置情報取得部１１０は、前述のスマートフォン１０の位置情報取得部２０と同様に、ＧＰＳアンテナ（不図示）を含み、ＧＰＳアンテナが受信した複数の衛星信号に基づいて測位計算を行い、リスト機器１００を装着しているユーザーＳの位置情報として取得することができる。
【００８５】
体動センサー部１２０は、加速度センサー１２１、気圧センサー１２２、方位センサー１２３などを含み、ユーザーＳの居場所の標高、および身体の動きや移動状態などに係る情報の検出、即ち体動情報を検出することができる。体動センサー部１２０は、ユーザーの体動に応じて変化する信号である体動検出信号を出力する。ここで、加速度センサー１２１は、ユーザーＳの身体の動きによって生じる加速度を検出し、気圧センサー１２２は、ユーザーＳの居場所の標高を検出し、方位センサー１２３は、ユーザーＳの移動する方向などを検出することができる。なお、体動センサー部１２０の構成はこれに限らず、例えば、湿度センサーや温度センサーなどを有する他のセンサー部を含んでもよい。
【００８６】
情報受信部１３０は、スマートフォン１０の通信部６０から、Ｂｌｕｅｔｏｏｔｈ  Ｌｏｗ  Ｅｎｅｒｇｙ規格によるブロードキャスト通信によって送信された災害情報を受信することができる。
【００８７】
制御処理部１４０は、位置情報取得部１１０を制御する回路、体動センサー部１２０を駆動して体動情報を検出する回路、身体情報取得部１５０を駆動して脈波などの生体情報を測定する回路、報知部１７０を駆動する回路、および通信部１８０を制御する回路などの制御回路を構成する。制御処理部１４０は、情報受信部１３０で受信された災害情報、位置情報取得部１１０で取得されたユーザーＳの位置情報、体動センサー部１２０で検出された体動情報、および身体情報取得部１５０で検出された脈波情報などの生体情報などを処理し、必要に応じて記憶部１６０に記憶させたり、通信部１８０に送信させたりする。また、制御処理部１４０は、処理された情報に基づいて、例えば災害情報を報知部１７０から通知させる。
【００８８】
制御処理部１４０は、種々の情報（例えばプログラムや各種のデータ）を記憶するメモリー（記憶部１６０）と、メモリーに記憶された情報に基づいて動作するプロセッサーを含む。プロセッサーは、例えば各部の機能が個別のハードウェアで実現されてもよいし、あるいは各部の機能が一体のハードウェアで実現されてもよい。プロセッサーは、例えばＣＰＵ（Central Processing Unit）であってもよい。ただしプロセッサーはＣＰＵに限定されるものではなく、ＧＰＵ（Graphics Processing Unit）、あるいはＤＳＰ（Digital Signal Processor）等、各種のプロセッサーを用いることが可能である。またプロセッサーはＡＳＩＣによるハードウェア回路でもよい。
【００８９】
身体情報取得部１５０は、脈波等の生体情報を検出するものであり、受光部１５１、および発光部１５２を含む脈波センサーを有している。身体情報取得部１５０は、発光部１５２から射出される光が被検体（測定の対象物）に対して照射され、その反射光が受光部１５１で受光されることによって脈波情報などを検出することができる。身体情報取得部１５０は、受光部１５１、および発光部１５２を含む脈波センサーにより検出された信号を、脈波検出信号として出力する。身体情報取得部１５０として、例えば受光部１５１、および発光部１５２を含む光電式の脈波センサーが用いられる場合には、生体（ユーザーＳの手首）に対して、発光部１５２から照射された光の反射光または透過光を、受光部１５１によって検出する手法等が考えられる。このような手法では、血管内の血流量に応じて、照射された光の生体での吸収量、反射量が異なるため、光電式の脈波センサーで検出したセンサー情報は血流量等に対応した信号となり、当該信号を解析することで拍動に関する情報を取得することができる。ただし、脈波センサーは光電式のセンサーに限定されず、心電計や超音波センサー等、他のセンサーを用いてもよい。
【００９０】
記憶部１６０は、制御処理部１４０の制御によって、情報受信部１３０で受信された災害情報、位置情報取得部１１０で取得されたユーザーＳの位置情報、体動センサー部１２０で検出された体動情報、および身体情報取得部１５０で検出された脈波情報などの生体情報などを記憶する。メモリーは、例えばＳＲＡＭ（Static Random Access Memory）、ＤＲＡＭ（Dynamic Random Access Memory）などの半導体メモリーやレジスターを記憶媒体として構成することができる。また、記憶部１６０は、本実施形態に係る災害情報通知システム１の一連の処理をコンピューターに実行させるプログラムを記憶することができる。例えば、メモリーはコンピューターにより読み取り可能な命令を格納しており、当該命令がプロセッサーにより実行されることで、災害情報通知システム１の各部の機能が実現されることになる。ここでの命令は、プログラムを構成する命令でもよいし、プロセッサーのハードウェア回路に対して動作を指示する命令であってもよい。
【００９１】
なお、本実施形態に係るリスト機器１００の各部の処理をプログラムにより実現することができる。すなわち、本実施形態の手法は、複数のユーザーの少なくともいずれかに携帯されたスマートフォン１０が、災害情報を受信するステップと、受信した災害情報を、スマートフォン１０から、リスト機器１００に、Ｂｌｕｅｔｏｏｔｈ  Ｌｏｗ  Ｅｎｅｒｇｙ規格によるブロードキャスト通信を行うステップと、受信した災害情報を、リスト機器１００によって通知するステップと、を含む処理を、コンピューターに実行させるプログラムに適用できる。
【００９２】
なお、本実施形態に係る表示システムの一連の処理をコンピューターに実行させるプログラムを記憶する記憶媒体としては、上述の記憶部１６０に含まれる半導体メモリーやレジスターの他に、例えば、リスト機器１００と通信可能な外部の記憶媒体として、ハードディスク装置等の磁気記憶装置であってもよいし、光学ディスク装置等の光学式記憶装置であってもよい。
【００９３】
報知部１７０は、制御処理部１４０の制御により、ユーザーＳに各種の情報を通知する。報知部１７０は、画像表示を行う、例えば液晶ディスプレイによる表示部１７１を備えている。報知部１７０は、例えば制御処理部１４０からのデータ信号に基づいて表示部１７１に、現在位置情報や移動情報や活動情報、もしくは災害情報を画像表示する。なお、報知部１７０は、他の通知方法として、振動モーター（バイブレーター）などを用いた振動部１７２、スピーカーなどを用いた音出力部１７３、もしくはＬＥＤなどを用いた通知用の発光体（不図示）などを備えることができる。
【００９４】
振動部１７２では、振動モーター（バイブレーター）の振動の強弱や長さなどによって、音出力部１７３では、スピーカーから情報を音声出力することによって、通知用の発光体では、発光体の点灯や点滅などによって、各種の情報を、特には災害情報をユーザーＳに通知する。なお、これらの情報は、画像表示のみで行ってもよいし、振動、音声、および通知用の発光の少なくともいずれかと組み合わせて通知してもよい。
【００９５】
通信部１８０は、制御処理部１４０の制御によって電波を発信し、ホスト側のスマートフォン１０に、例えば位置情報取得部１１０で取得されたユーザーＳの位置情報や体動センサー部１２０で検出された体動情報、および身体情報取得部１５０で検出された脈波情報などの生体情報に係るセンシングデータなどの情報を送信する。また、通信部１８０は、災害情報の受信をスマートフォン１０などに通知することができる。
【００９６】
電源部１９０は、例えば充電可能な電池（例えばリチウム二次電池）で構成される。電源部１９０は、リスト機器１００を構成する各構成部位に電源を供給し、動作させることができる。なお、充電可能な電池を用いる例を説明したが、電池には、充電が不要な一次電池を用いてもよい。
【００９７】
このような携帯端末機器としてのリスト機器１００によれば、ブロードキャスト通信により一方的に一斉送信された災害情報を受信し、災害情報を受信したことを、音、振動、および画面表示の少なくともいずれかで通知するため、装着（携帯）しているユーザーＳは、災害情報の覚知をより確実、且つスピーディーに認識することができる。
【００９８】
このようなスマートフォン１０やリスト機器１００を用いる構成の災害情報通知システム１によれば、ユーザーＳの携帯装着するリスト機器１００が、例えばスマートフォン１０Ａ，１０Ｂとの通信が不可能な位置にあっても、他のスマートフォン１０との通信が可能であれば災害情報を受信することができる。このように、リスト機器１００の災害情報の受信確率を高めることが可能な災害情報通知システム１とすることができる。
【００９９】
また、災害情報を受信したリスト機器１００を装着（携帯）しているユーザーＳに関し、例えば体調に変化や異常は無いか、もしくは移動の有無や居場所などのユーザーＳの状態を、スマートフォン１０から取得することが可能となる。これにより、ユーザーＳにダメージが有るか否かなどを推定することができ、災害時の救助活動などに活用可能な災害情報通知システム１とすることができる。
【０１００】
１．３．災害情報通知方法
１．３−１．第１実施形態に係る災害情報通知システム１の動作手順（災害情報通知方法）
次に、災害情報通知システム１の動作手順（災害情報通知方法）の第１実施形態を、図６および図７Ａ〜図７Ｃを参照して説明する。図６は、災害情報通知方法に係る第１実施形態を示すフローチャートである。図７Ａ〜図７Ｃは、災害情報が受信されたときのリスト機器の表示例を示し、図７Ａは、表示例１を示す平面図であり、図７Ｂは、表示例２を示す平面図であり、図７Ｃは、表示例３を示す平面図である。
【０１０１】
第１実施形態に係る災害情報通知システム１の動作手順は、図６に示すように、第１の携帯情報端末としてのスマートフォン１０が、通知インフラ５００からの災害情報を受信するステップＳ１２０と、携帯端末機器としてのリスト機器１００に、災害情報のブロードキャスト通信を行うステップＳ１２２と、リスト機器１００が災害情報を受信したか否かを判定するステップＳ１２４と、リスト機器１００から災害情報の受信を通知するステップＳ１２６と、リスト機器１００が災害情報を受信したことを確認してスマートフォン１０からのブロードキャスト通信を停止するステップＳ１２８、を含んでいる。
【０１０２】
以下、図６のフローチャートに沿って、各手順をステップ毎に説明する。なお、以下の手順の説明では、上述した災害情報通知システム１の構成の説明に用いた符号と同じ符号を適用して説明する。また、災害情報通知システム１を構成するスマートフォン１０がホスト側となり、リスト機器１００と通信可能な状態となっている。
【０１０３】
先ず、通知インフラ５００から発振された災害情報を、複数のユーザーの少なくともいずれかに携帯されている第１の携帯情報端末（スマートフォン１０）が受信する（ステップＳ１２０）。災害情報を受信したスマートフォン１０は、携帯端末機器（リスト機器１００）に向けて、Ｂｌｕｅｔｏｏｔｈ  Ｌｏｗ  Ｅｎｅｒｇｙ規格によるブロードキャスト通信を行い、災害情報を送信する（ステップＳ１２２）。
【０１０４】
ここで、スマートフォン１０は、リスト機器１００によって災害情報が受信されたか否かを判定し（ステップＳ１２４）、災害情報をリスト機器１００が受信したと判定したとき（ステップＳ１２４：Ｙｅｓ）は、災害情報の送信を停止する（ステップＳ１２８）。このとき、リスト機器１００による災害情報が受信されたか否かを判定するステップＳ１２４において、災害情報をリスト機器１００が受信していないと判定したとき（ステップＳ１２４：Ｎｏ）は、ステップＳ１２２に戻り、災害情報の通信（送信）を継続する。このように、リスト機器１００が受信するまで、スマートフォン１０からの災害情報の送信が継続することにより、リスト機器１００の受信機会が増加し、ユーザーＳが携帯しているリスト機器１００による災害情報の受信確率を高めることができる。
【０１０５】
なお、災害情報を送信するステップＳ１２２では、スマートフォン１０からのブロードキャスト通信による災害情報の送信を、間欠に行うことが好ましい。このように、災害情報の送信を間欠に行うことにより、スマートフォン１０の通信に係る消費電流を小さくすることができ、スマートフォン１０の電源部９０である二次電池の消耗を減少させることができ、二次電池の使用寿命を長くすることができる。
【０１０６】
次に、スマートフォン１０からのブロードキャスト通信による災害情報を受信したリスト機器１００は、災害情報の受信を通知する（ステップＳ１２６）。災害情報を受信したときの通知は、例えば図７Ａ〜図７Ｃに示すように、リスト機器の表示部１０７に表示して行うことができる。詳細には、図７Ａに示すように、表示マークＰＬを点滅表示させたり、図７Ｂに示すように、「山岳災害情報を受信しました」のような文字情報ＤＰ１として表示させたり、図７Ｃに示すように、スクロールした表示部１０７に、「発生エリアは・・・」などの詳細文字情報ＤＰ２として表示させたりすることができる。
【０１０７】
なお、このときの通知は、音、振動、および画面表示の少なくともいずれかで通知することが好ましい。また、音、振動、および画面表示を組み合わせて、同時に複数の通知機能を用いて通知することができる。このような通知を行うことによって、より確実、且つ速やかにユーザーＳに災害情報の受信を知らせることができる。
【０１０８】
以上のような手順により、第１実施形態に係る災害情報通知システム１の動作手順（災害情報通知方法）を終了する。
【０１０９】
このような第１実施形態に係る災害情報通知システム１の動作手順（災害情報通知方法）によれば、特定のユーザーに限定されない、いずれかのユーザーＳに携帯されたスマートフォン１０が災害情報を受信したら、そのスマートフォン１０，１０Ａ，１０Ｂから、災害情報を、その周辺エリア内にいるユーザーが夫々携帯しているリスト機器１００に向けて、ブロードキャスト通信により一方的に一斉送信する。このように、災害情報を受信したスマートフォン１０，１０Ａ，１０Ｂから災害情報が一斉送信されるため、例えばユーザーＳが携帯しているリスト機器１００により災害情報を受信する精度を高めることができる。換言すれば、ユーザーＳの携帯装着するリスト機器１００が、例えばスマートフォン１０Ａ，１０Ｂとの通信が不可能な位置にあっても、他のスマートフォン１０との通信が可能であれば災害情報を受信することができる。このように、リスト機器１００の災害情報の受信確率を高めることが可能な災害情報通知システム１とすることができる。
【０１１０】
１．３−２．第２実施形態に係る災害情報通知システム１の動作手順（災害情報通知方法）
次に、災害情報通知システム１の動作手順（災害情報通知方法）の第２実施形態を、図８を参照して説明する。図８は、災害情報通知方法に係る第２実施形態を示すフローチャートである。
【０１１１】
第２実施形態に係る災害情報通知システム１の動作手順は、図８に示すように、第１の携帯情報端末としてのスマートフォン１０が、通知インフラ５００からの災害情報を受信するステップＳ１２０と、携帯端末機器としてのリスト機器１００に、災害情報のブロードキャスト通信を行うステップＳ１２２と、リスト機器１００が災害情報を受信したか否かを判定するステップＳ１２４と、リスト機器１００から災害情報の受信を通知するステップＳ１２６と、リスト機器１００が災害情報を受信したことを確認してスマートフォン１０からのブロードキャスト通信を停止するステップＳ１２８と、リスト機器１００によりユーザーＳの状態をモニタリングするステップＳ１３０と、ユーザーＳの状態の情報をスマートフォン１０に送信するステップＳ１３２と、を含んでいる。
【０１１２】
以下、図８のフローチャートに沿って、各手順をステップ毎に説明する。なお、以下の手順の説明では、上述した災害情報通知システム１の構成の説明に用いた符号と同じ符号を適用して説明する。また、上述した第１実施形態に係る災害情報通知システム１の動作手順と同じステップは、その説明を省略することがある。また、災害情報通知システム１を構成するスマートフォン１０がホスト側となり、リスト機器１００と通信可能な状態となっている。
【０１１３】
第２実施形態に係る災害情報通知システム１の動作手順は、通知インフラ５００から発振された災害情報を、複数のユーザーの少なくともいずれかに携帯されている第１の携帯情報端末（スマートフォン１０）が受信する（ステップＳ１２０）。なお、続くリスト機器１００に、災害情報のブロードキャスト通信を行うステップＳ１２２と、リスト機器１００が災害情報を受信したか否かを判定するステップＳ１２４と、リスト機器１００から災害情報に受信を通知するステップＳ１２６と、リスト機器１００が災害情報を受信したことを確認してスマートフォン１０からのブロードキャスト通信を停止するステップＳ１２８と、は、第１実施形態と同様であるので説明を省略する。
【０１１４】
ステップＳ１２６において災害情報を受信した後、リスト機器１００は、ユーザーＳの状態をモニタリングして、リスト機器１００に備えられている各種センサーから、例えばユーザーＳの生体情報の出力データ、およびモーションセンサーの出力データを取得し、それらの出力データに基づいて、ユーザーＳの状態をモニタリングし（ステップＳ１３０）、モニタリング結果をユーザー情報として取得する。なお、ここでのユーザーＳの状態とは、ユーザーＳに関して、例えば体調に変化や異常は無いか、もしくは移動の有無や居場所などから、ダメージが有るか否か、移動ができるか否か、などを推定した状態をいう。そして、リスト機器１００は、モニタリングされたユーザー情報を、スマートフォン１０に送信する（ステップＳ１３２）。
【０１１５】
以上のような手順により、第２実施形態に係る災害情報通知システム１の動作手順（災害情報通知方法）を終了する。
【０１１６】
第２実施形態に係る災害情報通知システム１の動作手順（災害情報通知方法）によれば、上述の第１実施形態の効果に加え、リスト機器１００によりモニタリングされたユーザー情報が、スマートフォン１０に送信されることにより、スマートフォン１０からユーザーＳの状態の情報を取得することが可能となり、例えばユーザーＳのダメージなどを、遠隔地からユーザーＳの関係者、もしくは救助関係者などが推定することができ、災害時の救助活動などに活用することが可能となる。
【０１１７】
１．３−３．第３実施形態に係る災害情報通知システム１の動作手順（災害情報通知方法）
次に、災害情報通知システム１の動作手順（災害情報通知方法）の第３実施形態を、図９を参照して説明する。図９は、災害情報通知方法に係る第３実施形態を示すフローチャートである。
【０１１８】
第３実施形態に係る災害情報通知システム１の動作手順は、図９に示すように、スマートフォン１０に地域情報を設定するステップＳ１１６と、スマートフォン１０が位置情報を取得するステップＳ１１８と、スマートフォン１０が通知インフラ５００からの災害情報を受信するステップＳ１２０と、ユーザーが災害発生エリアに居るか否かを判定するステップＳ１２１と、リスト機器１００に災害情報のブロードキャスト通信を行うステップＳ１２２と、リスト機器１００が災害情報を受信したか否かを判定するステップＳ１２４と、リスト機器１００から災害情報に受信を通知するステップＳ１２６と、リスト機器１００が災害情報を受信したことを確認してスマートフォン１０からのブロードキャスト通信を停止するステップ（ステップＳ１２８）と、を含んでいる。
【０１１９】
以下、図９のフローチャートに沿って、各手順をステップ毎に説明する。なお、以下の手順の説明では、上述した災害情報通知システム１の構成の説明に用いた符号と同じ符号を適用して説明する。また、上述した第１実施形態に係る災害情報通知システム１の動作手順と同じステップは、その説明を省略することがある。また、上述の第１実施形態と同様に、災害情報通知システム１を構成するスマートフォン１０がホスト側となり、リスト機器１００と通信可能な状態となっている。
【０１２０】
先ず、スマートフォン１０，１０Ａ，１０Ｂを、夫々携帯しているユーザーは、スマートフォン１０，１０Ａ，１０Ｂに地域情報を設定する（ステップＳ１１６）。なお、以下の説明では、スマートフォン１０，１０Ａ，１０Ｂを代表してスマートフォン１０を例示して説明する。この地域情報には、ユーザーの現在位置に係る地域エリアや、その地域エリアに対して発せられている警報や注意情報などの情報などを含んでいる。加えて、ユーザーは、スマートフォン１０に位置情報を取得する（ステップＳ１１８）。
【０１２１】
次に、第１実施形態と同様に、通知インフラ５００から発振された災害情報を、複数のユーザーの少なくともいずれかに携帯されている第１の携帯情報端末（スマートフォン１０）が受信する（ステップＳ１２０）。災害情報を受信したスマートフォン１０は、
算出されたユーザーの位置情報、または、予め設定した地域情報に基づいて、当該スマートフォン１０を携帯しているユーザーが、災害情報に係る災害発生エリアに関係する場所にいるか否かを特定する（ステップＳ１２１）。そして、スマートフォン１０を携帯しているユーザーが災害発生エリアに居ると特定した場合（ステップＳ１２１：Ｙｅｓ）は、次のステップＳ１２２に進み、ユーザーが災害発生エリアに居ないと特定した場合（ステップＳ１２１：Ｎｏ）は、特定を繰り返す。
【０１２２】
スマートフォン１０を携帯しているユーザーが災害発生エリアに居ると判定したスマートフォン１０は、第１実施形態と同様に、携帯端末機器（リスト機器１００）に向けて、Ｂｌｕｅｔｏｏｔｈ  Ｌｏｗ  Ｅｎｅｒｇｙ規格によるブロードキャスト通信を行い、災害情報を送信する（ステップＳ１２２）。
【０１２３】
ここで、スマートフォン１０は、リスト機器１００によって災害情報が受信されたか否かを判定し（ステップＳ１２４）、災害情報をリスト機器１００が受信したと判定したとき（ステップＳ１２４：Ｙｅｓ）は、災害情報の送信を停止する（ステップＳ１２８）。このとき、リスト機器１００による災害情報が受信されたか否かを判定するステップＳ１２４において、災害情報をリスト機器１００が受信していないと判定したとき（ステップＳ１２４：Ｎｏ）は、ステップＳ１２２に戻り、災害情報の通信（送信）を継続する。
【０１２４】
次に、スマートフォン１０からのブロードキャスト通信による災害情報を受信したリスト機器１００は、災害情報の受信を、音、振動、および画面表示の少なくともいずれかで通知する（ステップＳ１２６）。なお、通知方法の具体例は、第１実施形態と同様であるので説明を省略する。
【０１２５】
以上のような手順により、第３実施形態に係る災害情報通知システム１の動作手順（災害情報通知方法）を終了する。
【０１２６】
このような第３実施形態に係る災害情報通知システム１の動作手順（災害情報通知方法）によれば、上述の第１実施形態の効果に加え、ユーザーが、災害に関係する場所にいると特定した場合に災害情報を送信する、所謂フィルタリング機能を有することにより、必要な情報のみを選択して送信することで、より効率的な災害情報の伝達を行うことができる。
【０１２７】
２．災害情報通知システムの変形例
次に、災害情報通知システムの変形例について、図１０を参照して説明する。図１０は、災害情報通知システムの変形例を概略的に示す全体図である。なお、以下の説明では、上述した災害情報通知システム１の構成と同様な構成については、その説明に用いた符号と同じ符号を適用して説明する。また、上述した災害情報通知システム１の構成と同様な構成については、その説明を省略することがある。
【０１２８】
上述した災害情報通知システム１では、第１の携帯情報端末としてのスマートフォン１０から携帯端末機器としてのリスト機器１００に、Ｂｌｕｅｔｏｏｔｈ（登録商標）  Ｌｏｗ  Ｅｎｅｒｇｙ規格によるブロードキャスト通信を行い、災害情報を送信する構成を説明した。
【０１２９】
これに対し、変形例に係る災害情報通知システム１Ａは、図１０に示すように、災害の発生を検出したり予測したりして、災害警告や緊急通報などの災害情報を送信する通知インフラ５００から送信された災害情報は、複数のユーザーの保有する第１の携帯情報端末としてのスマートフォン１０，１０Ａ，１０Ｂのいずれかが受信する。図１０に示す例では、スマートフォン１０によって災害情報が受信されるものとしている。災害情報を受信したスマートフォン１０は、その災害情報をＢｌｕｅｔｏｏｔｈ  Ｌｏｗ  Ｅｎｅｒｇｙ規格によるブロードキャスト通信によって送信し、当該送信された災害情報を、第２の携帯情報端末としてのスマートフォン１０Ｃ，１０Ｄ，１０Ｅが受信する。さらに、災害情報を受信したスマートフォン１０Ｃ，１０Ｄ，１０Ｅは、複数のリスト機器、例えばリスト機器１００，１００Ａ，１００Ｂ，１００Ｃ，１００Ｄに、その災害情報をＢｌｕｅｔｏｏｔｈ  Ｌｏｗ  Ｅｎｅｒｇｙ規格によるブロードキャスト通信によって送信する。換言すれば、スマートフォン１０とリスト機器１００，１００Ａ，１００Ｂ，１００Ｃ，１００Ｄとの間を、第２の携帯情報端末としてのスマートフォン１０Ｃ，１０Ｄ，１０Ｅを介して災害情報の送信を行う。
【０１３０】
なお、災害情報を受信するリスト機器１００，１００Ａ，１００Ｂ，１００Ｃ，１００Ｄの内の、例えばリスト機器１００は、第２の携帯情報端末としてのスマートフォン１０Ｃ，１０Ｄ，１０Ｅのそれぞれからブロードキャスト通信によって送信された災害情報の内の、いずれかの災害情報を受信することができる。
【０１３１】
本変形例に係る災害情報通知システム１Ａによれば、例えば第１の携帯情報端末としてのスマートフォン１０との通信が不可能な携帯端末機器、例えばリスト機器１００であっても、第２の携帯情報端末としてのスマートフォン１０Ｃ，１０Ｄ，１０Ｅのいずれかとの通信が可能であれば災害情報を受信することができる。このように、携帯端末機器の災害情報の受信確率を高めることができる。
【０１３２】
なお、上述した実施形態では、全地球的航法衛星システム（GNSS：Global Navigation Satellite System）が備える位置情報衛星としてＧＰＳ衛星を用いたＧＰＳを例示して説明したが、これはあくまで一例である。全地球的航法衛星システムは、ガリレオ（EU）、GLONASS（ロシア）、北斗（中国）などの他のシステムや、SBASなどの静止衛星や準天頂衛星などの衛星信号を発信する位置情報衛星を備えるものであればよい。即ち、リスト機器１００，１００Ａ，１００Ｂ，１００Ｃ，１００Ｄは、ＧＰＳ衛星以外の衛星を含む位置情報衛星からの電波（無線信号）を処理して把握される日付情報、時刻情報、位置情報および速度情報のいずれか一つを取得する構成であってもよい。なお、全地球的航法衛星システムは、地域航法衛星システム（RNSS：Regional Navigation Satellite System）とすることができる。
【符号の説明】
【０１３３】
１，１Ａ…災害情報通知システム、１０，１０Ａ，１０Ｂ…第１の携帯情報端末としてのスマートフォン、１０Ｃ，１０Ｄ，１０Ｅ…第２の携帯情報端末としてのスマートフォン、１１…ケース、１２…操作ボタン、１３…スピーカー、１４…マイク、２０…位置情報取得部、２１…ＧＰＳ通信部、３０…受信部、４０…制御部、４５…判定部、５０…記憶部、５５…通信指示部、６０…通信部、７０…表示部、８０…情報入力部、９０…電源部、１００，１００Ａ，１００Ｂ，１００Ｃ，１００Ｄ…携帯端末機器としてのリスト機器、１０５…機器本体、１０７…表示部、１１０…位置情報取得部、１１１…トップケース、１１２…ボトムケース、１１３，１１５…複数のボタン、１１８…ガラス板、１１９…ベゼル、１２０…体動センサー部、１２１…加速度センサー、１２２…気圧センサー、１２３…方位センサー、１３０…情報受信部、１３１，１３２…バンド部、１４０…制御処理部、１５０…身体情報取得部、１５１…受光部、１５２…発光部、１６０…記憶部、１７０…報知部、１７１…表示部、１７２…振動部、１７３…音出力部、１８０…通信部、１９０…電源部、５００…通知インフラ。
【図１】
2018081608.tif 000003
【図２】
2018081608.tif 000004
【図３】
2018081608.tif 000005
【図４】
2018081608.tif 000006
【図５】
2018081608.tif 000007
【図６】
2018081608.tif 000008
【図７Ａ】
2018081608.tif 000009
【図７Ｂ】
2018081608.tif 000010
【図７Ｃ】
2018081608.tif 000011
【図８】
2018081608.tif 000012
【図９】
2018081608.tif 000013
【図１０】
2018081608.tif 000014